(57)【要約】      （修正有）【課題】防湿シートと透明板とをしわが生じることなく、容易に熟練者でなくても密封固定することができるとともに、その作業が楽で、面倒な作業をしなくても簡単に製造することができる押し花飾を得る。【解決手段】枠フレーム９が取付けられた防湿シートの剥離紙を、該枠フレーム９側へ押し圧して凹部を形成した後に剥離紙を除去した後、枠フレーム９の凹部内の接着剤層あるいは粘着剤層部分に固定された押し花保存剤１３および台紙１４と、この台紙１４上に配置された押し花１５と、この押し花１５を覆い、外周部が台紙１４より外方の防湿シートの接着剤層あるいは粘着剤層に、枠フレーム９を一方側より他方側へ押し圧しながらスライド移動させて、内部の空気を抜きながら固定される透明板１６とで押し花飾を構成する。【選択図】図１
2015128887.tif 000002
【特許請求の範囲】
【請求項１】
アルミ箔、このアルミ箔の一側面にコーティングあるいは貼着固定された接着剤層あるいは粘着剤層、この接着剤層あるいは粘着剤層を使用するまで覆う剥離紙とからなる防湿シートと、この防湿シートの他側面の外周部を除く部位に固定される枠状のフレーム本体、この枠フレーム本体の一側面にコーティングあるいは貼着固定された前記防湿シートに固定される枠フレーム用接着剤層あるいは粘着剤層、この枠フレーム用接着剤層あるいは粘着剤層を前記防湿シートに固定させるまで覆う枠フレーム用剥離紙とからなる枠フレームと、この枠フレームが取付けられた前記防湿シートの剥離紙を、該枠フレーム側へ押し圧して凹部を形成した後に剥離紙を除去した後、前記枠フレームの凹部内の接着剤層あるいは粘着剤層部分に固定された押し花保存剤および台紙と、この台紙上に配置された押し花と、この押し花を覆い、外周部が前記台紙より外方の前記防湿シートの接着剤層あるいは粘着剤層に、前記枠フレームを一方側より他方側へ押し圧しながらスライド移動させて、内部の空気を抜きながら固定される透明板とからなることを特徴とする押し花飾。
【請求項２】
アルミ箔の一側面に形成される接着剤層あるいは粘着剤層は、枠フレームの内側に位置する部位を、接着あるいは粘着の弱い接着剤あるいは粘着剤を用い、この弱い接着剤層あるいは粘着剤層の外周部は強い接着剤あるいは粘着剤を用いた接着剤層あるいは粘着剤層が形成されていることを特徴とする請求項１記載の押し花飾。
【請求項３】
台紙の外周部の近傍部位まで覆うことができる前面フレームを備えた透明板を収納することができる額縁本体と、この額縁本体の裏面を覆うように、該額縁本体に取付けることができる裏板とを備えたことを特徴とする請求項１、２いずれかに記載の押し花飾。
【発明の詳細な説明】
【技術分野】
【０００１】
本発明は台紙上に飾った押し花を透明板とアルミ箔で覆い、額縁等に収納して飾ることができる、押し花教室での教材としても使用することができる押し花飾に関する。
【背景技術】
【０００２】
従来の押し花飾は、飾った押し花が配置された台紙をほぼ中央部に取付けることができる接着剤層あるいは粘着剤層を設けた防湿シートを用い、台紙上に配置した押し花を透明板で覆い、該透明板と外周部と防湿シートの外周部を固定するものや、防湿シート本体の外周部寄りの背面に、該防湿シート本体にしわが生じないように接着剤や粘着剤を用いて枠状にしわ防止板を固定することができる防湿シートを用いるものが、本出願人によって考えられている。
【０００３】
しかしながら、前者の押し花飾に用いる防湿シートは台紙を防湿シートに取付ける作業は容易にできるが、押し花が配置された台紙の外周部の防湿シートと透明板との密封固定は、密封固定作業時に防湿シートにしわが生じ、密封できず、短期間に押し花が変色してしまうという欠点があった。
【０００４】
また、後者の押し花飾に用いる防湿シートは、防湿シート本体の裏面に枠状に固定するしわ防止板の固定作業が、板状のしわ防止板の背面に接着剤や粘着剤を塗布したものを防湿シートの裏面の外周部寄りの部位に、枠状にしわが生じないように固定しなければならず、その作業が大変で、完全にしわが生じないように固定することは熟練者でなければできないという欠点があった。
【先行技術文献】
【特許文献】
【０００５】
【特許文献１】特開２００４−３３０４６３号公報
【特許文献２】特許第３９６０６０３号公報
【発明の概要】
【発明が解決しようとする課題】
【０００６】
本発明は以上のような従来の欠点に鑑み、防湿シートと透明板とをしわが生じることなく、容易に熟練者でなくても密封固定することができるとともに、その作業が楽で、面倒な作業をしなくても簡単に製造することができる押し花飾を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明はアルミ箔、このアルミ箔の一側面にコーティングあるいは貼着固定された接着剤層あるいは粘着剤層、この接着剤層あるいは粘着剤層を使用するまで覆う剥離紙とからなる防湿シートと、この防湿シートの他側面の外周部を除く部位に固定される枠状のフレーム本体、この枠フレーム本体の一側面にコーティングあるいは貼着固定された前記防湿シートに固定される枠フレーム用接着剤層あるいは粘着剤層、この枠フレーム用接着剤層あるいは粘着剤層を前記防湿シートに固定させるまで覆う枠フレーム用剥離紙とからなる枠フレームと、この枠フレームが取付けられた前記防湿シートの剥離紙を、該枠フレーム側へ押し圧して凹部を形成した後に剥離紙を除去した後、前記枠フレームの凹部内の接着剤層あるいは粘着剤層部分に固定された押し花保存剤および台紙と、この台紙上に配置された押し花と、この押し花を覆い、外周部が前記台紙より外方の前記防湿シートの接着剤層あるいは粘着剤層に、前記枠フレームを一方側より他方側へ押し圧しながらスライド移動させて、内部の空気を抜きながら固定される透明板とで押し花飾を構成している。
【発明の効果】
【０００９】
以上の説明から明らかなように、本発明にあっては次に列挙する効果が得られる。
（１）請求項１により、防湿シートの他側面の外周部を除く部位に枠フレーム用剥離紙を外した接着剤層あるいは粘着剤層がコーティングあるいは貼着固定された枠フレームを位置させ、枠フレームを押し圧しながらスライド移動させて固定することにより、容易に枠フレームを防湿シートに固定することができる。
この固定された枠フレームによって、該枠フレームが固定された部分の防湿シートが枠状に平坦面にできる。
（２）前記（１）によって、枠フレームが取付けられた防湿シートの枠フレームを裏面に位置させ、防湿シートの一側面の枠フレーム内を下方へ押し圧して凹部を形成した後、剥離紙を除去し、該凹部に乾燥剤や脱酸素剤等の押し花保存剤および台紙を防湿シートの接着剤層あるいは粘着剤層に接着あるいは粘着固定することができる。
したがって、押し花保存剤や台紙を防湿シートの凹部部位に固定状態で取付けることができる。
（３）前記（１）により、枠フレームが取付けられた防湿シートと透明板とを、該防湿シートの枠フレームが取付けられた部位の透明板と固定される位置の接着剤層あるいは粘着剤層とを枠フレームの一方から他方側へ押し圧しながらスライド移動させて固定することにより、密封状態で枠フレーム部分の防湿シートにしわが生じることなく接着あるいは粘着固定することができる。
（４）前記（１）により、枠フレームの枠フレーム用剥離紙を外して防湿シートに接着あるいは粘着固定したり、防湿シートの枠フレームの内側に凹部を形成し、剥離紙を外して押し花保存剤や台紙を接着あるいは粘着固定し、台紙上に押し花を配置して防湿シートの外周部と透明板とを接着あるいは粘着固定するだけでよいので、熟練者が行なう難しい作業が不要で、押し花教室での教材として最適に使用することができる。
（５）請求項２も前記（１）〜（４）と同様な効果が得られるとともに、透明板と防湿シートを強固に接着あるいは粘着固定することができる。
（６）請求項３も前記（１）〜（４）と同様な効果が得られるとともに、台紙上に配置された押し花がきれいに見えるように額縁に収納して飾ることができる。
【図面の簡単な説明】
【００１０】
【図１】本発明を実施するための第１の形態の正面図。
【図２】図１の２−２線に沿う断面図。
【図３】本発明を実施するための第１の形態の防湿シートの説明図。
【図４】本発明を実施するための第１の形態の枠フレームの説明図。
【図５】本発明を実施するための第１の形態の防湿シートに枠フレームを取付けた状態の説明図。
【図６】本発明を実施するための第１の形態の防湿シートに凹部を形成する状態の説明図。
【図７】本発明を実施するための第１の形態の防湿シートの凹部内に押し花保存剤や台紙を取付ける状態の説明図。
【図８】本発明を実施するための第１の形態の台紙上に押し花を配置する状態の説明図。
【図９】本発明を実施するための第１の形態の透明板で押し花を覆い、透明板と防湿シートの外周部を固定する状態の説明図。
【図１０】本発明を実施するための第１の形態の防湿シートの配置状態の説明図。
【図１１】本発明を実施するための第１の形態の防湿シートより剥離紙を外す状態の説明図。
【図１２】本発明を実施するための第２の形態の正面図。
【図１３】図１２の１３−１３線に沿う断面図。
【図１４】本発明を実施するための第２の形態の分解図。
【図１５】本発明を実施するための第３の形態の正面図。
【図１６】図１５の１６−１６線に沿う断面図。
【図１７】本発明を実施するための第３の形態の防湿シートの説明図。
【図１８】本発明を実施するための第４の形態の正面図。
【図１９】図１８の１９−１９線に沿う断面図。
【図２０】本発明を実施するための第４の形態の台紙の説明図。
【図２１】本発明を実施するための第５の形態の正面図。
【図２２】図２１の２２−２２線に沿う断面図。
【図２３】本発明を実施するための第５の形態の台紙の説明図。
【発明を実施するための形態】
【００１１】
以下、図面に示す本発明を実施するための形態により、本発明を詳細に説明する。
【００１２】
図１ないし図１１に示す本発明を実施するための第１の形態において、１は押し花教室の教材としても使用することができる本発明の押し花飾で、この押し花飾１はアルミ箔２、このアルミ箔２の一側面にコーティングあるいは貼着固定された接着剤層あるいは粘着剤層３、この接着剤層あるいは粘着剤層３を使用するまで覆う剥離紙４とからなる防湿シート５と、この防湿シート５の他側面の外周部を除く部位に固定される枠状のフレーム本体６、この枠状のフレーム本体６の一側面にコーティングあるいは貼着固定された前記防湿シート５に固定される枠フレーム用接着剤層あるいは粘着剤層７、この枠フレーム用接着剤層あるいは粘着剤層７を前記防湿シート５に固定させるまで覆う枠フレーム用剥離紙８とからなる枠フレーム９と、この枠フレーム９が取付けられた前記防湿シート５の剥離紙４を、該枠フレーム９側へ押し圧して凹部１０を形成した後、該剥離紙４を除去した後、前記枠フレーム９の凹部１０内の接着剤層あるいは粘着剤層３部分に固定された脱酸素剤１１、乾燥剤１２等の押し花保存剤１３および、前記凹部１０を覆う大きさの台紙１４と、この台紙１４上にデザインを施して配置された押し花１５と、この押し花１５を覆い、外周部が前記台紙１４より外方の前記防湿シート５の接着剤層あるいは粘着剤層３に、前記枠フレーム９の一方側より他方側へ押し圧しながらスライド移動させて、内部の空気を抜きながら固定される透明板１６とで構成されている。
【００１３】
このように構成される押し花飾１は、図１０に示すように防湿シート５の他側面が上面となるようにテーブル１７上に配置する。
【００１４】
しかる後、図５に示すように枠フレーム用剥離紙８を外した枠フレーム９の枠フレーム用接着剤層あるいは粘着剤層７を防湿シート５の外周部を除く部位に一方側より他方側へ接着あるいは粘着固定する。
【００１５】
この時、防湿シート５に枠フレーム９を接着あるいは粘着させた後、枠フレーム９を押し圧しながらスライド移動させるような固定作業を行なうことにより、枠フレーム９の枠フレーム用接着剤層あるいは粘着剤層７に接着あるいは粘着固定される防湿シート５にしわが生じることなく、強固に接着あるいは粘着固定することができる。
【００１６】
次に、図６に示すように枠フレーム９が固定された防湿シート５を反転させてテーブル１７上に設置し、枠フレーム９内に位置する防湿シート５に凹部１０ができるように、該防湿シート５の剥離紙４を枠フレーム９に沿って押し圧し、凹部１０がきれいにできると図１１に示すように防湿シート５の剥離紙４を外す。
【００１７】
しかる後、図７に示すように凹部１０内に脱酸素剤１１、乾燥剤１２等の押し花保存剤１３を接着剤層あるいは粘着剤層３に接着あるいは粘着するように固定し、該凹部１０を覆う台紙１４を、凹部１０の周縁部の接着剤層あるいは粘着剤層３に接着あるいは粘着固定する。
【００１８】
次に、台紙１４上に図８に示すようにデザインを施して押し花１５を配置する。
しかる後、台紙１４上の押し花１５を覆うように、図９に示すように防湿シート５の端部より透明板１６の端部を、防湿シート５の外周部の接着剤層あるいは粘着剤層３によって、しわが生じないように接着あるいは粘着固定し、透明板１６に防湿シート５が接着あるいは粘着固定したものを反転してテーブル１７上に位置させ、枠フレーム９の一端部より他端部へ押し圧しながら、押し圧をスライド移動させることにより、透明板１６と防湿シート５間に入り込んだ空気を外部へ抜き、強固に固定する。
【００１９】
この場合、内部の空気を効率よく抜くためには、防湿シート５と透明板１６の他端部間に接着剤層あるいは粘着剤層３より抜き取ることができる所定の厚さの空気抜きシート１８を用いて行なうとよい。
【００２０】
このようにして作られた押し花飾１は、防湿シート５の他側面に枠フレーム用剥離紙８を外した枠フレーム９を固定し、反転して防湿シート５に凹部１０を形成し、剥離紙４を外して脱酸素剤１１、乾燥剤１２等の押し花保存剤１３を凹部１０内に固定するとともに、台紙１４を固定し、押し花１５を配置して透明板１６で覆い、透明板１６と防湿シート５の外周部を固定するだけでよく、熟練者でなくても比較的に容易に押し花飾１を作成することができるとともに、押し花１５は枠フレーム９によって透明板１６と防湿シート５にしわが生じることなく密封固定できるので、長期間変色するのを防止できる。    
【００２１】
[発明を実施するための異なる形態]
次に、図１２ないし図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１２ないし図１４に示す本発明を実施するための第２の形態において、前記本発明を実施するための第１の形態と主に異なる点は、台紙１４の近傍部位まで覆うことができる前面フレーム１９を備え、透明板１６を収納する収納部２０が形成された額縁本体２１と、この額縁本体２１の裏面を覆うように、該額縁本体２１に取付けられた裏板２２を備えた点で、このような押し花飾１Ａにしても、前記本発明を実施するための第１の形態と同様な作用効果が得られる。
【００２３】
図１５ないし図１７に示す本発明を実施するための第３の形態において、前記本発明を実施するための第１の形態と主に異なる点は、枠フレーム９の内側に位置する部位の接着剤層あるいは粘着剤層３を普通の接着あるいは粘着強度のものを用いるとともに、その外側の接着剤層あるいは粘着剤層２３の接着あるいは粘着強度が強いものを用いた防湿シート５Ａを用いた点で、このような防湿シート５Ａを用いることにより、前記本発明の第１の実施の形態と同様な作用効果が得られるとともに、防湿シート５Ａと透明板１６とを強固に固定できる押し花飾１Ｂを作ることができる。
【００２４】
図１８ないし図２０に示す本発明を実施するための第４の形態において、前記本発明を実施するための第１の形態と主に異なる点は、押し花の背景となる印刷２４がされた台紙１４Ａを用いた点で、このような台紙１４Ａを用いた押し花飾１Ｃにしても、前記本発明を実施するための第１の形態と同様な作用効果が得られるとともに、押し花１５の配置が容易にでき、かつよりきれいな飾り物にすることができる。
【００２５】
図２１ないし図２３に示す本発明を実施するための第５の形態において、前記本発明を実施するための第１の形態と主に異なる点は、クッション材を用いて形成した台紙１４Ｂを用いた点で、このような台紙１４Ｂを用いた押し花飾１Ｄにしても、前記本発明を実施するための第１の形態と同様な作用効果が得られるとともに、押し花１５は台紙１４Ｂによって透明板１６に押し圧された状態となっており、押し花１５を台紙１４Ｂに接着剤等で固定しなくても、移動して変形するのを効率よく阻止できる。
【産業上の利用可能性】
【００２６】
本発明は押し花教室で使用する教材にもなる押し花飾を製造する産業で利用される。
【符号の説明】
【００２７】
１、１Ａ、１Ｂ、１Ｃ、１Ｄ：押し花飾、
２：アルミ箔、      ３：接着剤層あるいは粘着剤層、
４：剥離紙、          ５、５Ａ：防湿シート、  
６：枠状のフレーム本体、    ７：枠フレーム用接着剤あるいは粘着剤層、
８：枠フレーム用剥離紙、    ９：枠フレーム、
１０：凹部、        １１：脱酸素剤、
１２：乾燥剤、      １３：押し花保存剤、
１４、１４Ａ、１４Ｂ：台紙、  １５：押し花、
１６：透明板、      １７：テーブル、
１８：空気抜きシート、    １９：前面フレーム、
２０：収納部、      ２１：額縁本体、
２２：裏板、        ２３：接着剤層あるいは粘着剤層、
２４：印刷。
【図１】
2015128887.tif 000003
【図２】
2015128887.tif 000004
【図３】
2015128887.tif 000005
【図４】
2015128887.tif 000006
【図５】
2015128887.tif 000007
【図６】
2015128887.tif 000008
【図７】
2015128887.tif 000009
【図８】
2015128887.tif 000010
【図９】
2015128887.tif 000011
【図１０】
2015128887.tif 000012
【図１１】
2015128887.tif 000013
【図１２】
2015128887.tif 000014
【図１３】
2015128887.tif 000015
【図１４】
2015128887.tif 000016
【図１５】
2015128887.tif 000017
【図１６】
2015128887.tif 000018
【図１７】
2015128887.tif 000019
【図１８】
2015128887.tif 000020
【図１９】
2015128887.tif 000021
【図２０】
2015128887.tif 000022
【図２１】
2015128887.tif 000023
【図２２】
2015128887.tif 000024
【図２３】
2015128887.tif 000025